(57)【特許請求の範囲】
【請求項１】
互いに熱交換が可能な乾流路および湿流路と、前記湿流路に設けられる液体供給手段と、を備え、前記湿流路を流れる気体により前記湿流路に供給された液体が蒸発する際に気化熱として周囲から熱を奪うことにより前記乾流路を流れる気体を加湿することなく冷却する間接気化冷却装置と、
吸湿流路と放湿流路と、前記吸湿流路と前記放湿流路との間に跨って回転するデシカントロータと、前記放湿流路に設けられる再生手段と、を備え、前記吸湿流路を流れる気体に対し吸湿を行うとともに、前記放湿流路において前記デシカントロータの再生を行うデシカント調湿装置と、
を備えた冷房システムであって、
前記乾流路の入口と前記湿流路の出口とを屋外に連通させ、
前記乾流路の出口と前記放湿流路の入口との間に接続流路を接続し、
前記吸湿流路の出口と前記湿流路の入口との間に接続流路を接続し、
前記放湿流路の出口と前記吸湿流路の入口とを屋内に連通させることを特徴とする冷房システム。
【請求項２】
互いに熱交換が可能な乾流路および湿流路と、前記湿流路に設けられる液体供給手段と、を備え、前記湿流路を流れる気体により前記湿流路に供給された液体が蒸発する際に気化熱として周囲から熱を奪うことにより前記乾流路を流れる気体を加湿することなく冷却する間接気化冷却装置と、
吸湿流路と放湿流路と、前記吸湿流路と前記放湿流路との間に跨って回転するデシカントロータと、前記放湿流路に設けられる再生手段と、を備え、前記吸湿流路を流れる気体に対し吸湿を行うとともに、前記放湿流路において前記デシカントロータの再生を行うデシカント調湿装置と、
を備えた冷房システムであって、
前記乾流路の入口と前記湿流路の出口とを屋外に連通させ、
前記乾流路の出口を屋内に連通させ、
前記吸湿流路の出口と前記湿流路の入口との間に接続流路を接続し、
前記放湿流路の出口を屋外に連通させ、
前記吸湿流路の入口を屋内に連通させ、
前記放湿流路の入口を屋内または屋外に連通させることを特徴とする冷房システム。
【発明の詳細な説明】
【技術分野】
【０００１】
本発明は、間接気化冷却装置とデシカント調湿装置とを備えた冷房システムに関するものである。
【背景技術】
【０００２】
互いに熱交換が可能な乾流路と湿流路の二つの気体の流路と、湿流路に設けられる液体供給手段と、を備え、湿流路を流れる気体により該湿流路に供給された液体が蒸発する際に気化熱として周囲から熱を奪うことにより、乾流路を流れる気体が冷却されることで、乾流路を流れる気体を加湿することなく冷却する間接気化冷却装置が知られている（例えば特許文献１参照）。
【０００３】
この間接気化冷却装置にあっては、乾流路と湿流路を流れる気体の流量と、湿流路に供給する液体の流量を制御することで、乾流路を流通して得られる冷却空気の温度を間接的に調節していたが、誤差が大きいものであった。
【０００４】
乾流路を流通して得られる冷却空気の温度を調節するにあたり、別の方法が考えられる。すなわち、間接気化冷却装置にあっては、湿流路を流れる気体の湿度が低い程、この湿流路での蒸発（気化）が促進されて、湿流路を流れる気体が奪われる熱が大きくなり、この結果、乾流路を流れる気体の冷却が促進される。このため、湿流路に流入する気体の湿度を制御することで、乾流路を流通して得られる冷却空気の温度を調節することが可能である。
【０００５】
そこで、吸湿流路と放湿流路の二つの気体の流路と、この流路間に跨って回転するデシカントロータと、を備え、吸湿流路を流れる気体に対し吸湿（除湿）を行うとともに、放湿流路においてデシカントロータの再生を行うデシカント調湿装置（例えば特許文献２参照）を組み合わせることが考えられるものである。
【先行技術文献】
【特許文献】
【０００６】
【特許文献１】特開２００８−１０１８９０号公報
【特許文献２】特開２００８−１６４２０３号公報
【発明の概要】
【発明が解決しようとする課題】
【０００７】
本発明は上記従来の問題点に鑑みて発明したものであって、その目的とするところは、間接気化冷却装置にデシカント調湿装置を組み合わせ、簡単な構成で高い冷房能力が得られる冷房システムを提供することを課題とするものである。
【課題を解決するための手段】
【０００８】
上記課題を解決するために、請求項１に係る発明は、
互いに熱交換が可能な乾流路１１および湿流路１２と、湿流路１２に設けられる液体供給手段１３と、を備え、湿流路１２を流れる気体により湿流路１２に供給された液体が蒸発する際に気化熱として周囲から熱を奪うことにより乾流路１１を流れる気体を加湿することなく冷却する間接気化冷却装置１と、
吸湿流路２１および放湿流路２２と、吸湿流路２１と放湿流路２２との間に跨って回転するデシカントロータ２０と、放湿流路２２に設けられる再生手段２３と、を備え、吸湿流路２１を流れる気体に対し吸湿を行うとともに、放湿流路２２においてデシカントロータ２０の再生を行うデシカント調湿装置２と、
を備えた冷房システムであって、
乾流路１１の入口と湿流路１２の出口とを屋外に連通させ、
乾流路１１の出口と放湿流路２２の入口との間に接続流路を接続し、
吸湿流路２１の出口と湿流路１２の入口との間に接続流路を接続し、
放湿流路２２の出口と吸湿流路２１の入口とを屋内に連通させることを特徴とする。
【０００９】
請求項２に係る発明は、
互いに熱交換が可能な乾流路１１および湿流路１２と、湿流路１２に設けられる液体供給手段１３と、を備え、湿流路１２を流れる気体により湿流路１２に供給された液体が蒸発する際に気化熱として周囲から熱を奪うことにより乾流路１１を流れる気体を加湿することなく冷却する間接気化冷却装置１と、
吸湿流路２１および放湿流路２２と、吸湿流路２１と放湿流路２２との間に跨って回転するデシカントロータ２０と、放湿流路２２に設けられる再生手段２３と、を備え、吸湿流路２１を流れる気体に対し吸湿を行うとともに、放湿流路２２においてデシカントロータ２０の再生を行うデシカント調湿装置２と、
を備えた冷房システムであって、
乾流路１１の入口と湿流路１２の出口とを屋外に連通させ、
乾流路１１の出口を屋内に連通させ、
吸湿流路２１の出口と湿流路１２の入口との間に接続流路を接続し、
放湿流路２２の出口を屋外に連通させ、
吸湿流路２１の入口を屋内に連通させ、
放湿流路２２の入口を屋内または屋外に連通させることを特徴とする。
【発明の効果】
【００１０】
本発明の冷房システムにあっては、間接気化冷却装置にデシカント調湿装置を組み合わせ、簡単な構成で高い冷房能力が得られる。
【図面の簡単な説明】
【００１１】
【図１】本発明の第一の実施形態の概略構成図である。
【図２】本発明の第二の実施形態の概略構成図である。
【図３】本発明の第三の実施形態の概略構成図である。
【図４】運転を説明するフロー図である。
【図５】運転の一部を説明するフロー図である。
【発明を実施するための形態】
【００１２】
以下、本発明の一実施形態に基いて説明する。まず、間接気化冷却装置とデシカント調湿装置について説明する。
【００１３】
間接気化冷却装置は、乾流路と湿流路の二つの流路を備え、この流路間で熱交換を行うものである。乾流路と湿流路の間には、熱伝導性部材が介在しており、この熱伝導性部材により、各流路を流れる気体間で熱交換が行われる。湿流路には、液体供給手段および液体保持手段が設けられ、液体供給手段により液体が供給され、供給された液体は液体保持手段により保持される。液体保持手段において、液体は、湿流路を流れる気体と直接接触可能に保持される。
【００１４】
この間接気化冷却装置は、乾流路に冷却対象となる気体を流通させ、湿流路には、相対湿度が１００％未満の気体を流通させるのであるが、この気体の相対湿度は低い程好ましいものである。そして、液体保持手段により供給された液体が液体保持手段に保持された状態で、乾流路と湿流路とに気体が流れると、湿流路において、液体保持手段に保持されている液体が湿流路を流れる気体により気化されていく。この時、液体保持手段に保持されている液体が蒸発する際に気化熱として周囲から熱を奪うことにより、乾流路を流れる気体が冷却される。これにより、乾流路を流れる気体は、加湿されることなく冷却されるものである。
【００１５】
間接気化冷却装置としては、特許文献１に記載されたものが利用可能であるが、特にこれに限定されない。間接気化冷却装置の一具体例について概略説明する。本例では、乾流路と湿流路とを、セルロース系紙に、通気性を有さず熱伝導性を有する合成樹脂製フィルムを貼り合わせた仕切りにて、セルロース系紙が湿流路側に面するようにして仕切る。セルロース系紙が液体保持手段として機能し、合成樹脂製フィルムが熱伝導性部材として機能する。この場合、液体が蒸発する際に乾流路を流れる気体が奪われる熱は、主に、湿流路の乾流路側の壁面に保持されていた液体が、気化熱として、乾流路から直接的に奪う熱であるが、液体が蒸発する際に湿流路から熱を奪うことで湿流路の温度が低下し、これにより奪われる熱もある。
【００１６】
液体供給手段は、チューブと、ポンプと、ポンプを駆動するモータ等の駆動手段と、駆動手段を制御するマイクロコンピュータ等からなる制御部と、タンク等の液体貯留部と、を備える。チューブの一端は液体貯留部に接続され、チューブの他端は湿流路のセルロース系紙付近に配置される。
【００１７】
この乾流路と湿流路は交互に積層され、各乾流路の入口および出口、各湿流路の入口および出口はそれぞれ一つの入口および出口に集約される。
【００１８】
乾流路と湿流路には、それぞれ送風手段が設けられる。送風手段は、ファンと、ファンを駆動するモータ等の駆動手段と、駆動手段を制御するマイクロコンピュータ等からなる制御部と、を備える。
【００１９】
乾流路と湿流路とを流れる気体の流量と、湿流路に供給される液体の流量を制御部により制御することで、乾流路を流れて得られる冷却空気の量、温度がある程度調節可能となっている。
【００２０】
また、湿流路を流れる気体中の蒸気が結露して液体となった場合に、この液体を排出する排出手段を備えている。この排出手段としては、湿流路と外部とを連通する流路となる管等を備え、途中に逆止弁やポンプを有するものが用いられるが、特に限定されない。
【００２１】
なお、上記のような間接気化冷却装置は一例であってこれに限定されない。また、液体としては水が好適に用いられるが、他の液体が用いられてもよく、この場合には揮発性の高い液体が好ましい。また、乾流路と湿流路とを流れる気体は空気が好適に用いられるが、特に限定されない。
【００２２】
デシカント調湿装置は、放湿流路と吸湿流路とからなる二つの流路と、この流路間に跨って回転するデシカントロータと、デシカントロータを駆動するモータ等の駆動手段と、駆動手段を制御するマイクロコンピュータ等からなる制御部と、を備え、吸湿流路を流れる気体に対し吸湿を行うとともに、放湿流路を流れる気体に対し放湿を行うものである。デシカントロータは、通常は円盤状をしたもので、その中心軸（回転軸）方向に通気性を有する。なお、デシカントロータは円盤状に限定されない。そして、デシカントロータの表面に吸湿材（デシカント）が担持されている。また、放湿流路には、デシカントロータの上流側に、デシカントロータを再生するための加熱手段からなる再生手段を備えている。加熱手段（再生手段）としては、例えば気−液熱交換器と、熱媒と、循環路と、ポンプと、ポンプを駆動するモータ等の駆動手段と、熱媒を加熱するガスバーナ等の加熱部と、を備えた温水コイルが好適に用いられるが、特に限定されず、電熱ヒータ等であってもよい。
【００２３】
二つの流路には、それぞれ送風手段が設けられる。送風手段は、ファンと、ファンを駆動するモータ等の駆動手段と、駆動手段を制御するマイクロコンピュータ等からなる制御部と、を備えている。
【００２４】
なお、上記に加え、二つの流路間に跨って回転する顕熱交換ロータと、顕熱交換ロータを駆動するモータ等の駆動手段と、駆動手段を制御するマイクロコンピュータ等からなる制御部と、を備えていてもよい。顕熱交換ロータは、吸湿流路のデシカントロータよりも上流側の部分と、放湿流路のデシカントロータよりも下流側の部分に跨るように回転する。また、顕熱交換ロータに代えて、間に熱伝導性部材を介在させて二つの流路を仕切る一般的な熱交換器を備えてもよい。
【００２５】
このデシカント調湿装置は、除湿対象とする気体を吸湿流路に流通させ、除湿対象となる気体がデシカントロータを通過すると、吸湿材に液体の蒸気が吸収され、除湿された気体となって流出する。放湿流路においては、再生手段（加熱手段）によりデシカントロータが加熱され、気体がデシカントロータを通過する際、デシカントロータが吸湿材が吸収していた液体を気体中に蒸気として放出し、吸湿材が再生される。
【００２６】
また、顕熱交換ロータを備えている場合には、顕熱交換ロータを回転させることで、放湿流路から流出する気体から熱を奪うとともに吸湿流路に流入する気体に放熱し、熱の回収が行われる。顕熱交換ロータでなく一般的な熱交換器の場合も同様である。
【００２７】
吸湿流路と放湿流路とを流れる気体の流量と、加熱手段による加熱量と、場合によってはデシカントロータの回転速度を制御部により制御することで、吸湿流路から流出する除湿気体の量、湿度が調節可能である。
【００２８】
なお、上記のようなデシカント調湿装置は一例であって、これに限定されない。
【００２９】
以下、本発明の冷房システムの第一の実施形態について図１に基づいて説明する。
【００３０】
間接気化冷却装置１の乾流路１１および湿流路１２、デシカント調湿装置２の吸湿流路２１および放湿流路２２は、送風手段による送風方向が定まっており、入口および出口が固定されている。湿流路１２には、流路の途中に液体供給手段１３および液体保持手段（不図示）、排出手段１４が設けられ、出口に温度センサ１５が設けられている。放湿流路２２には、再生手段２３が設けられている。
【００３１】
本実施形態では、再生手段２３として気−液熱交換器が用いられ、熱媒と、循環路と、ポンプと、ポンプを駆動するモータ等の駆動手段と、熱媒を加熱するガスバーナ等を備えた熱源と、を備える。熱源および熱媒は、他の温水暖房システム等の熱源および熱媒が好適に用いられ、熱源にて所定の温度（例えば８０℃）となった熱媒が利用可能である。この場合、再生手段２３の気−液熱交換器を介して供給する熱量を制御するには、気−液熱交換器を流れる熱媒を流す時間の割合、すなわち、全体の時間に対する熱媒を流通させる時間の比（＝デューティ比）を変化させる所謂デューティ制御を行う。そして、熱媒要求レベルはデューティ比が異なる複数段階が用意されている。
【００３２】
また、吸湿流路２１のデシカントロータ２０の下流側の部分と、放湿流路２２のデシカントロータ２０の上流側の部分とで、熱伝導性部材により互いに熱交換を可能とする熱交換器２４が設けられてもよいが、熱交換器２４は任意の構成である。
【００３３】
また、マイクロコンピュータからなり、間接気化冷却装置１とデシカント調湿装置２とを制御するとともに、別の温水暖房システムに対し熱媒の供給を指令する、この冷房システム全体の制御部を備えている。そして、冷房システムの運転の開始／停止、冷房レベル（例えば強、中、弱等による目標温度）の設定や直接目標温度の設定を行う操作部が設けられている。  
【００３４】
乾流路１１の入口には、先端が屋外の大気に連通する大気開放端となる外気吸入流路３１が接続される。
【００３５】
湿流路１２の出口には、先端が屋外の大気に連通する大気開放端となる外気連通流路３２が接続される。
【００３６】
乾流路１１の出口と放湿流路２２の入口との間には接続流路３３が接続され、吸湿流路２１の出口と湿流路１２の入口との間には接続流路３４が接続される。
【００３７】
放湿流路２２の出口には、先端が屋内の空間に連通する内気開放端となる内気連通流路３５が接続され、吸湿流路２１の入口には、先端が屋内の空間に連通する内気開放端となる内気吸入流路３６が接続される。
【００３８】
外気は、外気吸入流路３１を介して乾流路１１に流入し、間接気化冷却装置１により加湿されることなく冷却され、接続流路３３を介してデシカント調湿装置２の放湿流路２２に流入する。そして、デシカントロータ２０を通過する際に放湿され、熱交換器２４がある場合には熱交換器２４を通過する際に冷却され、内気連通流路３５を介して屋内へ供給される。
【００３９】
内気は、内気吸入流路３６を介してデシカント調湿装置２の吸湿流路２１に流入し、デシカントロータ２０を通過する際に吸湿されて低湿度となり、接続流路３４を介して間接気化冷却装置１の湿流路１２に流入する。そして、低湿度となった気体は、湿流路１２を通過する際に、水保持手段により保持されていた水が気化して生成される水蒸気を含んで、外気連通流路３２を介して屋外へ排出される。
【００４０】
第一の実施形態における運転について図４に基づいて説明する。運転をスタートさせると（Ｓ１）、制御部は、設定されている冷房レベルに応じた目標温度Ｔ０（直接目標温度を設定する場合には設定されている目標温度）が設定される（Ｓ２）。
【００４１】
間接気化冷却装置１の動作を開始し、送風手段を動作させ、液体供給手段１３および排出手段１４を動作させる（Ｓ３）。デシカント調湿装置２の動作を開始し、温水暖房システムに対し所望の熱媒を要求し、デシカントロータ２０を動作させる（Ｓ４）。
【００４２】
（Ｓ４）が実行されてから所定時間Ｔｉが経過したか否かが判定され（Ｓ５）、所定時間Ｔｉが経過していない場合には再度（Ｓ５）が実行され、所定時間Ｔｉが経過している場合には温度センサ１５により湿流路１２の出口における温度ｔ１を検出する（Ｓ６）。そして、温度ｔ１と目標温度Ｔ０との比較が行われ（Ｓ７）、温度ｔ１が目標温度Ｔ０より高い場合には、熱媒要求レベルを一段階上げる（Ｓ８）。熱媒要求レベルは、複数段階のうち低い（デューティ比が小さい）段階からはじめ、一段階ずつ上げていく。熱媒要求レベルを上げることで、放湿流路２２におけるデシカントロータ２０からの放湿量が増加するとともに吸湿流路２１における吸湿量が増加する。これに伴い、湿流路１２に流入する気体の湿度が低下し、乾流路１１を流れる気体が奪われる熱量が増加して温度が低下する。
【００４３】
（Ｓ８）が実行されると（Ｓ５）へ戻り、（Ｓ８）が実行されてから所定時間Ｔｉが経過したか否かが判定される。
【００４４】
（Ｓ７）において温度ｔ１が目標温度Ｔ０以下の場合には、（Ｓ７）が実行されてから所定時間Ｔｉが経過したか否かが判定され（Ｓ９）、所定時間Ｔｉが経過していない場合には再度（Ｓ９）が実行され、所定時間Ｔｉが経過している場合には温度センサ１５により湿流路１２の出口における温度ｔ２が検出される（Ｓ１０）。そして、温度ｔ２と温度ｔ１との比較が行われ（Ｓ１１）、温度ｔ２が温度ｔ１より低い場合には、熱媒要求レベルを一段階下げる（Ｓ１２）。熱媒要求レベルを下げることで、乾流路１１を流れる気体が奪われる熱量が減少して温度が上昇する。（Ｓ１２）が実行されると（Ｓ５）へ戻り、（Ｓ１２）が実行されてから所定時間Ｔｉが経過したか否かが判定される。以降、運転の停止までこのフローが繰り返される。
【００４５】
また、ステップ（Ｓ５）に代えて、図５に示すルーチン（Ｓ２１）〜（Ｓ２４）を実行してもよい。これは、温度センサ１５により湿流路１２の出口における温度ｔ１を検出する（Ｓ２１）。そして、（Ｓ１２）が実行されてから所定時間Ｔｉ１が経過したか否かが判定され（Ｓ２２）、所定時間Ｔｉ１が経過していない場合には再度（Ｓ２１）が実行され、所定時間Ｔｉ１が経過している場合には温度センサ１５により湿流路１２の出口における温度ｔ２が検出される（Ｓ２３）。そして、温度ｔ２と温度ｔ１との差の絶対値と、閾値ｄとの比較が行われ（Ｓ２４）、温度ｔ２と温度ｔ１との差の絶対値が閾値ｄより大きければ、再度（Ｓ２１）が実行され、温度ｔ２と温度ｔ１との差の絶対値が閾値ｄ以下であれば、このルーチンを終了し、ステップ（Ｓ６）へ移行する。
【００４６】
なお、上記運転は一例であり、特に限定されない。
【００４７】
第一の実施形態においては、主に夏期に、換気するとともに、取り入れる外気を冷却して供給するものである。この時、湿流路１２に流入する気体の湿度が低くなって、湿流路１２での気化が促進され、乾流路１１を流れる気体の冷却能力が向上し、高い冷房能力が得られるものである。
【００４８】
次に、第二の実施形態について図２に基づいて説明する。第二の実施形態においては、間接気化冷却装置１とデシカント調湿装置２は第一の実施形態と同じであり、流路構成の一部が異なるため、同じ部分については同符号を付して説明を省略し、異なる部分について説明する。
【００４９】
乾流路１１の出口には、先端が屋内の空間に連通する内気開放端となる内気連通流路３７が接続され、乾流路１１の出口は内気連通流路３７を介して屋内に連通している。
【００５０】
放湿流路２２の入口に、一端が内気吸入流路３６に接続される内気吸入流路３８の他端が接続され、放湿流路２２の入口は内気吸入流路３６および内気吸入流路３８を介して屋内に連通している。なお、内気吸入流路３８の先端が屋内の空間に連通する内気開放端となっていてもよい。
【００５１】
放湿流路２２の出口には、一端が外気連通流路３２に接続される外気連通流路３９の他端が接続され、放湿流路２２の出口は外気連通流路３９および外気連通流路３２を介して屋外に連通している。なお、外気連通流路３９の先端が屋外の空間に連通する外気開放端となっていてもよい。
【００５２】
外気は、外気吸入流路３１を介して乾流路１１に流入し、間接気化冷却装置１により加湿されることなく冷却され、接続流路３７を介して屋内へ供給される。
【００５３】
内気は、内気吸入流路３６を介して一部がデシカント調湿装置２の吸湿流路２１に流入し、デシカントロータ２０を通過する際に吸湿されて低湿度となり、接続流路３４を介して間接気化冷却装置１の湿流路１２に流入する。そして、低湿度となった気体は、湿流路１２を通過する際に、水保持手段により保持されていた水が気化して生成される水蒸気を含んで、外気連通流路３２を介して屋外へ排出される。
【００５４】
また、内気吸入流路３６を介して吸入される内気の残りがデシカント調湿装置２の放湿流路２２に流入する。そして、デシカントロータ２０を通過する際に放湿され、熱交換器２４がある場合には熱交換器２４を通過する際に冷却され、外気連通流路３９および外気連通流路３２を介して屋外へ排出される。
【００５５】
第二の実施形態においては、主に夏期に、換気するとともに、取り入れる外気を冷却して供給するものである。この時、湿流路１２に流入する気体の湿度が低くなって、湿流路１２での気化が促進され、乾流路１１を流れる気体の冷却能力が向上し、高い冷房能力が得られるものである。更に、第一の実施形態においては、デシカントロータ２０を通過する際に放湿された気体が屋内に供給されていたのに対し、第二の実施形態においては、デシカントロータ２０を通過して放湿されることなく、間接気化冷却装置１により加湿されることなく冷却された気体のみが屋内に供給され、湿度の上昇を抑えられる。
【００５６】
次に、第三の実施形態について図３に基づいて説明する。第三の実施形態においては、間接気化冷却装置１とデシカント調湿装置２は第二の実施形態と同じであり、流路構成の一部が異なるため、同じ部分については同符号を付して説明を省略し、第二の実施形態と異なる部分について説明する。
【００５７】
放湿流路２２の入口に、一端が外気吸入流路３１に接続される外気吸入流路４０の他端が接続され、放湿流路２２の入口は外気吸入流路４０および外気吸入流路３１を介して屋外に連通している。なお、外気吸入流路４０の先端が屋外の空間に連通する外気開放端となっていてもよい。
【００５８】
外気は、外気吸入流路３１を介して一部が乾流路１１に流入し、間接気化冷却装置１により加湿されることなく冷却され、接続流路３７を介して屋内へ供給される。
【００５９】
内気は、内気吸入流路３６を介してデシカント調湿装置２の吸湿流路２１に流入し、デシカントロータ２０を通過する際に吸湿されて低湿度となり、接続流路３４を介して間接気化冷却装置１の湿流路１２に流入する。そして、低湿度となった気体は、湿流路１２を通過する際に、水保持手段により保持されていた水が気化して生成される水蒸気を含んで、外気連通流路３２を介して屋外へ排出される。
【００６０】
また、外気吸入流路３１を介して吸入される外気の残りがデシカント調湿装置２の放湿流路２２に流入する。そして、デシカントロータ２０を通過する際に放湿され、熱交換器２４がある場合には熱交換器２４を通過する際に冷却され、外気連通流路３９および外気連通流路３２を介して屋外へ排出される。
【００６１】
第三の実施形態においては、主に夏期に、換気するとともに、取り入れる外気を冷却して供給するものである。この時、湿流路１２に流入する気体の湿度が低くなって、湿流路１２での気化が促進され、乾流路１１を流れる気体の冷却能力が向上し、高い冷房能力が得られるものである。更に、第一の実施形態においては、デシカントロータ２０を通過する際に放湿された気体が屋内に供給されていたのに対し、第三の実施形態においては第二の実施形態と同様に、デシカントロータ２０を通過して放湿されることなく、間接気化冷却装置１により加湿されることなく冷却された気体のみが屋内に供給され、湿度の上昇を抑えられる。
【符号の説明】
【００６２】
１    間接気化冷却装置
１１  乾流路
１２  湿流路
１３  液体供給手段
１４  排出手段
１５  温度センサ
２    デシカント調湿装置
２０  デシカントロータ
２１  吸湿流路
２２  放湿流路
２３  再生手段
２４  熱交換器
３１  外気吸入流路
３２  外気連通流路
３３〜３４  接続流路
３５  内気連通流路
３６  内気吸入流路
３７  内気連通流路
３８  内気吸入流路
３９  外気連通流路
４０  外気吸入流路
【図１】
0005932438.tif 000002
【図２】
0005932438.tif 000003
【図３】
0005932438.tif 000004
【図４】
0005932438.tif 000005
【図５】
0005932438.tif 000006